【事件の表示】
　特願２０１８−５１２９０４「溝を有する医療用投与バレルおよびその封止方法」拒絶査定不服審判事件〔平成２９年　３月１６日国際公開、ＷＯ２０１７／０４４１１２、平成３０年　９月２０日国内公表、特表２０１８−５２７０９５〕について、次のとおり審決する。
【結　論】
　本件審判の請求は、成り立たない。
【理　由】
第１　手続の経緯
　本願は、２０１５年（平成２７年）９月１１日を国際出願日とする出願であって、その後の手続の概要は、以下のとおりである。
平成３０年　４月２７日　　：手続補正書の提出
平成３１年　２月　４日付け：拒絶理由通知
令和　元年　５月１０日　　：意見書及び手続補正書の提出
令和　元年　６月２５日付け：拒絶査定（以下「原査定」という。）
令和　元年１０月２３日　　：拒絶査定不服審判の請求、同時に手続補正書の提出
第２　令和元年１０月２３日にされた手続補正についての補正の却下の決定
［補正の却下の決定の結論］
　令和元年１０月２３日にされた手続補正（以下「本件補正」という。）を却下する。
［理由］
１　本件補正について
（１）本件補正により、特許請求の範囲の請求項１〜１８の記載は、以下のとおり補正された。
（下線は、補正箇所であり、当審が付与したものである。）
「【請求項１】
　医療用投与バレルの内部に充填された物質と前記医療用投与バレルの開口近位端を密封するピストンとの間のヘッドスペースを最小限に抑える方法であって、
　
　前記方法は、
　前記ピストンを内部に受容するように構成された真空エンクロージャを、前記医療用投与バレルの前記開口近位端に封止係合させる工程と、
　封止した前記真空エンクロージャおよび前記医療用投与バレルの内部圧力が前記医療用投与バレルの外側の圧力よりも低くなるように、前記封止した前記真空エンクロージャおよび前記医療用投与バレルの内部に対して真空引きを行う工程と、
　前記流体が前記ピストンをバイパスすることを可能とする前記少なくとも１つの溝の前記長さに沿って、前記ピストンを前記医療用投与バレルの内部へと物理的に前進させる工程と、
　前記医療用投与バレルの前記内壁のうち前記少なくとも１つの溝が存在しない領域の先頭部分に前記ピストンが達したときに前記ピストンの物理的前進を停止させることにより、前記医療用投与バレルの前記内壁を封止係合し、前記ピストンと前記医療用投与バレルの遠位端との間の前記医療用投与バレルの内部を気密封止するとともに、前記ピストンと前記医療用投与バレルの内部に位置する前記物質との間の前記真空引きがなされた状態を維持する工程と、
　前記医療用投与バレルにおける前記開口近位端への前記真空エンクロージャの係合を解いて、前記医療用投与バレルのうち前記ピストンと前記医療用投与バレルの前記開口近位端との間の部分の前記真空引きがなされた状態を解除することにより、前記ピストンを跨ぐ方向に圧力差を生じさせ、これにより、前記医療用投与バレル内の前記物質に向かって前記ピストンをさらにスライドさせ、前記物質と前記ピストンとの間の前記ヘッドスペースを最小化する工程と、
を含む
医療用投与バレルの封止方法。
　　【請求項２】
　さらに、
　前記真空エンクロージャの係合を解く工程の後、前記医療用投与バレル内の前記物質に向かって物理的に前記ピストンをさらに前進させることによって、前記医療用投与バレルのうち前記ピストンと前記医療用投与バレルの前記開口近位端との間の部分の圧力を、前記医療用投与バレルのうち前記ピストンと前記医療用投与バレル内部の前記物質との間の部分の圧力と等しくさせる工程を含む
　請求項１に記載の医療用投与バレルの封止方法。
　　【請求項３】
　前記ピストンは、前記医療用投与バレルの前記内壁に摺動可能に封止係合するように前記ピストンから径方向に突出した少なくとも１つの環状リブを含み、
　前記停止させる工程において、前記医療用投与バレルの前記内壁のうち前記少なくとも１つの溝が存在しない領域の前記先頭部分に前記少なくとも１つの環状リブが位置したときに前記ピストンの前記物理的前進を停止させて、前記少なくとも１つの環状リブを前記医療用投与バレルの前記内壁に封止係合させることにより、前記医療用投与バレルのうち前記ピストンと前記医療用投与バレルの前記遠位端との間の部分の内部を気密封止する
　請求項１または２に記載の医療用投与バレルの封止方法。
　　【請求項４】
　さらに、
　前記医療用投与バレルに所定体積の前記物質を充填する工程を含む
　請求項１から３のいずれか１項に記載の医療用投与バレルの封止方法。
　　【請求項５】
　前記ピストンは、軸方向に離間した２つの環状リブを含む
　請求項１から４のいずれか１項に記載の医療用投与バレルの封止方法。
　　【請求項６】
　前記少なくとも１つの溝の前記長さは、５ｍｍから２５ｍｍの範囲内である
　請求項１から５のいずれか１項に記載の医療用投与バレルの封止方法。
　　【請求項７】
　前記少なくとも１つの溝の前記長さは、２０ｍｍである
　請求項１から６のいずれか１項に記載の医療用投与バレルの封止方法。
　　【請求項８】
　前記少なくとも１つの溝は、ほぼ一定の深さを画定する
　請求項１から７のいずれか１項に記載の医療用投与バレルの封止方法。
　　【請求項９】
　前記少なくとも１つの溝は、１ｍｍから４ｍｍの範囲内の幅を画定する
　請求項１から８のいずれか１項に記載の医療用投与バレルの封止方法。
　　【請求項１０】
　開口近位端と、閉口遠位端と、前記開口近位端から前記閉口遠位端に向かう所定距離だけ延在する長さを画定するとともに前記長さに沿っ
て一
　前記医療用投与バレルの内部に充填され、所定の体積を有する物質と、
　前記医療用投与バレルの前記内壁に封止係合したピストンと
　を備え、
　前記少なくとも１つの溝は、前記ピストンが前記少なくとも１つの溝に沿って位置しているときに、流体が前記ピストンをバイパスすることを可能にし、
　前記ピストンの少なくとも一部は、前記少なくとも１つの溝よりも遠位側に位置し、これにより前記医療用投与バレルの内部の前記物質を封止している
　封止済医療用投与バレル。
　　【請求項１１】
　前記ピストンは、前記医療用投与バレルの前記内壁に摺動可能に封止係合するように前記ピストンから径方向に突出した少なくとも１つの環状リブを含む
　請求項１０に記載の封止
済医
　　【請求項１２】
　前記ピストンは、軸方向に離間した２つの環状リブを含む
　請求項１１に記載の封止
済医
　　【請求項１３】
　前記少なくとも１つの溝は、５ｍｍから２５ｍｍの範囲内の長さを画定する
　請求項
１０
　　【請求項１４】
　前記少なくとも１つの溝は、２０ｍｍの長さを画定する
　請求項
１０
　　【請求項１５】
　前記少なくとも１つの溝は、０．２ｍｍから０．６ｍｍの範囲内のほぼ一定の深さを画定する
　請求項
１０
　　【請求項１６】
　前記少なくとも１つの溝は、１ｍｍから４ｍｍの範囲内の幅を画定する
　請求項
１０
　　【請求項１７】
　前記少なくとも１つの溝の長さは、前記ピストンの長さよりも長くなっている
　請求項１０に記載の封止済医療用投与バレル。
　　【請求項１８】
　前記少なくとも１つの溝の、ほぼ一定の深さは、０．２ｍｍから０．６ｍｍの範囲内となっている
　請求項８に記載の医療用投与バレルの封止方法。」
（２）本件補正前の、令和元年５月１０日提出の手続補正書により補正された特許請求の範囲の請求項１〜１８の記載は、以下のとおりである。
「【請求項１】
　医療用投与バレルの内部に充填された物質と前記医療用投与バレルの開口近位端を密封するピストンとの間のヘッドスペースを最小限に抑える方法であって、
前記医療用投与バレルは、その内壁に、前記医療用投与バレルの前記開口近位端からその反対側の遠位端に向かう、前記ピストンの長さよりも長い距離だけ延在する長さを画定する少なくとも１つの溝を有し、前記少なくとも１つの溝は、前記ピストンが前記少なくとも１つの溝に沿って位置しているときに流体が前記ピストンをバイパスすることを可能にするものであり、
　前記方法は、
　前記ピストンを内部に受容するように構成された真空エンクロージャを、前記医療用投与バレルの前記開口近位端に封止係合させる工程と、
　封止した前記真空エンクロージャおよび前記医療用投与バレルの内部圧力が前記医療用投与バレルの外側の圧力よりも低くなるように、前記封止した前記真空エンクロージャおよび前記医療用投与バレルの内部に対して真空引きを行う工程と、
　前記流体が前記ピストンをバイパスすることを可能とする前記少なくとも１つの溝の前記長さに沿って、前記ピストンを前記医療用投与バレルの内部へと物理的に前進させる工程と、
　前記医療用投与バレルの前記内壁のうち前記少なくとも１つの溝が存在しない領域の先頭部分に前記ピストンが達したときに前記ピストンの物理的前進を停止させることにより、前記医療用投与バレルの前記内壁を封止係合し、前記ピストンと前記医療用投与バレルの遠位端との間の前記医療用投与バレルの内部を気密封止するとともに、前記ピストンと前記医療用投与バレルの内部に位置する前記物質との間の前記真空引きがなされた状態を維持する工程と、
　前記医療用投与バレルにおける前記開口近位端への前記真空エンクロージャの係合を解いて、前記医療用投与バレルのうち前記ピストンと前記医療用投与バレルの前記開口近位端との間の部分の前記真空引きがなされた状態を解除することにより、前記ピストンを跨ぐ方向に圧力差を生じさせ、これにより、前記医療用投与バレル内の前記物質に向かって前記ピストンをさらにスライドさせ、前記物質と前記ピストンとの間の前記ヘッドスペースを最小化する工程と、
を含む
医療用投与バレルの封止方法。
　　【請求項２】
　さらに、
　前記真空エンクロージャの係合を解く工程の後、前記医療用投与バレル内の前記物質に向かって物理的に前記ピストンをさらに前進させることによって、前記医療用投与バレルのうち前記ピストンと前記医療用投与バレルの前記開口近位端との間の部分の圧力を、前記医療用投与バレルのうち前記ピストンと前記医療用投与バレル内部の前記物質との間の部分の圧力と等しくさせる工程を含む
　請求項１に記載の医療用投与バレルの封止方法。
　　【請求項３】
　前記ピストンは、前記医療用投与バレルの前記内壁に摺動可能に封止係合するように前記ピストンから径方向に突出した少なくとも１つの環状リブを含み、
　前記停止させる工程において、前記医療用投与バレルの前記内壁のうち前記少なくとも１つの溝が存在しない領域の前記先頭部分に前記少なくとも１つの環状リブが位置したときに前記ピストンの前記物理的前進を停止させて、前記少なくとも１つの環状リブを前記医療用投与バレルの前記内壁に封止係合させることにより、前記医療用投与バレルのうち前記ピストンと前記医療用投与バレルの前記遠位端との間の部分の内部を気密封止する
　請求項１または２に記載の医療用投与バレルの封止方法。
　　【請求項４】
　さらに、
　前記医療用投与バレルに所定体積の前記物質を充填する工程を含む
　請求項１から３のいずれか１項に記載の医療用投与バレルの封止方法。
　　【請求項５】
　前記ピストンは、軸方向に離間した２つの環状リブを含む
　請求項１から４のいずれか１項に記載の医療用投与バレルの封止方法。
　　【請求項６】
　前記少なくとも１つの溝の前記長さは、５ｍｍから２５ｍｍの範囲内である
　請求項１から５のいずれか１項に記載の医療用投与バレルの封止方法。
　　【請求項７】
　前記少なくとも１つの溝の前記長さは、２０ｍｍである
　請求項１から６のいずれか１項に記載の医療用投与バレルの封止方法。
　　【請求項８】
　前記少なくとも１つの溝は、ほぼ一定の深さを画定する
　請求項１から７のいずれか１項に記載の医療用投与バレルの封止方法。
　　【請求項９】
　前記少なくとも１つの溝は、１ｍｍから４ｍｍの範囲内の幅を画定する
　請求項１から８のいずれか１項に記載の医療用投与バレルの封止方法。
　　【請求項１０】
　開口近位端と、閉口遠位端と、前記開口近位端から前記閉口遠位端に向かう所定距離だけ延在する長さを画定するとともに前記長さに沿ってほぼ一定の深さおよび幅を画定するように内壁に設けられた少なくとも１つの溝と、を有する医療用投与バレルと、
　前記医療用投与バレルの内部に充填され、所定の体積を有する物質と、
　前記医療用投与バレルの前記内壁に封止係合したピストンと
　を備え、
　前記少なくとも１つの溝は、前記ピストンが前記少なくとも１つの溝に沿って位置しているときに、流体が前記ピストンをバイパスすることを可能にし、
　前記ピストンの少なくとも一部は、前記少なくとも１つの溝よりも遠位側に位置し、これにより前記医療用投与バレルの内部の前記物質を封止している
　封止済医療用投与バレル。
　　【請求項１１】
　前記ピストンは、前記医療用投与バレルの前記内壁に摺動可能に封止係合するように前記ピストンから径方向に突出した少なくとも１つの環状リブを含む
　請求項１０に記載の封止済み医療用投与バレル。
　　【請求項１２】
　前記ピストンは、軸方向に離間した２つの環状リブを含む
　請求項１１に記載の封止済み医療用投与バレル。
　　【請求項１３】
　前記少なくとも１つの溝は、５ｍｍから２５ｍｍの範囲内の長さを画定する
　請求項９から１１のいずれか１項に記載の封止済医療用投与バレル。
　　【請求項１４】
　前記少なくとも１つの溝は、２０ｍｍの長さを画定する
　請求項９から１３のいずれか１項に記載の封止済医療用投与バレル。
　　【請求項１５】
　前記少なくとも１つの溝は、０．２ｍｍから０．６ｍｍの範囲内のほぼ一定の深さを画定する
　請求項９から１４のいずれか１項に記載の封止済医療用投与バレル。
　　【請求項１６】
　前記少なくとも１つの溝は、１ｍｍから４ｍｍの範囲内の幅を画定する
　請求項９から１５のいずれか１項に記載の封止済医療用投与バレル。
　　【請求項１７】
　前記少なくとも１つの溝の長さは、前記ピストンの長さよりも長くなっている
　請求項１０に記載の封止済医療用投与バレル。
　　【請求項１８】
　前記少なくとも１つの溝の、ほぼ一定の深さは、０．２ｍｍから０．６ｍｍの範囲内となっている
　請求項８に記載の医療用投与バレルの封止方法。」
２　補正の適否について 
　本件補正は、本件補正前の請求項１０に記載された発明を特定するために必要な事項である「少なくとも１つの溝」について、「長さに沿ってほぼ一定の深さおよび幅を画定するように内壁に設けられた」とあったのを「長さに沿って一定の深さおよび幅を画定するように内壁に設けられた」と限定する補正事項を含むものであって、当該補正事項については、補正前の請求項１０に記載された発明と補正後の請求項１０に記載される発明の産業上の利用分野及び解決しようとする課題が同一であるから、特許法第１７条の２第５項第２号の特許請求の範囲の減縮を目的とするものに該当する。
　そこで、本件補正後の請求項１０に記載される発明（以下「本件補正発明」という。）が特許出願の際独立して特許を受けることができるものであるか（特許法第１７条の２第６項において準用する同法第１２６条第７項の規定に適合するか）について、以下、検討する。
（１）本件補正発明
　本件補正発明は、前記１の（１）の請求項１０に記載された事項により特定されるとおりのものである。
（２）引用文献の記載事項及び引用発明
（２−１）原査定の拒絶の理由で引用された、本願の出願前に頒布された又は電気通信回線を通じて公衆に利用可能となった引用文献である、特開２００２−２１９１７０号公報（平成１４年８月６日出願公開。以下「引用文献」という。）には、図面とともに次の記載がある。（下線は、当審が付与したものである。以下同様。）
ア　「【０００１】
　　【発明の属する技術分野】
　
本発明は、プレフィルドシリンジ
に関する
イ　「【００１１】
　本発明のプレフィルドシリンジ１は、
外筒本体部２１と、外筒本体部２１の先端側に設けられたノズル部２２と、外筒本体部２１の後端側に設けられたフランジ２３とを備える外筒２と、ノズル部２２に
取り付けられたシールキャップ３と、外筒２内に摺動可能に収納され周囲に先端側環状リブ４１と後端側環状リブ４２とを備えるガスケット４と
外筒２とシールキャップ３とガスケット４により形成される空間内に収納された薬剤８と
を備え
ウ　「【００１５】
　溝９は、後述するプレフィルドシリンジの製造方法のガスケット移動工程にて、減圧状態を常圧状態に変更して、ガスケット４の先端側環状リブ４１と後端側環状リブ４２および外側面４０と外筒本体部２１間により形成される環状空間１１を常圧にするためのものである。図１、図２、図３、図４に示す実施例では、
溝９は、
外筒本体部２１基端開口からノズル部２２側に向かって形成され軸方向に平行に延び
全体に渡って断面が半円形状に形成されており、先端部は先端方向にテーパー状に縮径している
エ　「【００２２】
　シールキャップ３は、図２、図５および図６に示すようにキャップ状に作製され、ノズル本体部収納部３１と、キャップ側螺合部３２とを備える。シールキャップ３は、この実施例では、シールキャップ本体とシール部材とからなる。シールキャップ本体は、一端および他端が開口した筒状部材であり、先端側に通液針（図示せず）装着用のテーパー状に拡径する開口部３５を備えている。そして、この開口部３５とシール部材保持部３６間にシール部材３４が収納されている。
シール部材によりシールキャップの一端は閉塞している。シール部材３４は、ノズル部先端開口を液密に密封するためのものである。
オ　「【００２６】
　
ガスケット４は、
複数の環状リブを備え、これらリブが、外筒２の内面に液密に接触する
カ　「【００３７】
　最初に、
後端部内周面に軸方向に延びる溝９を備える外筒本体部２１
シリンジを内部に収納可能かつ内部を減圧可能な真空チャンバ
キ　「【００４０】
　まず、
真空チャンバ内を減圧状態とする
ガスケット４を外筒２の基端開口から挿入し
ガスケット４の先端側環状リブ４１が溝
９より先端側とな
る位置まで押し込む
【００４１】
　この状態において、ガスケット４の先端側環状リブ４１のみならず後端側環状リブ４２も外筒内周面に接触している。ガスケット４の後端側環状リブ４２を外筒２の外方に配置する場合に比べて、ガスケット４は外筒２内により正確に同軸上に配置されるので、ガスケット４の先端側環状リブ４１によるシール性が高いものとなる。また、この状態では、先端側環状リブ４１と後端側環状リブ４２とガスケット４の側面と外筒内周面との間に形成された空間と外部（真空チャンバ内）は、溝９を介して連通しており、空間の内圧と外圧（真空チャンバ内の内圧）は等しくなっており、ともに減圧状態にある。また、
ガスケット４と外筒内周面とシールキャップ３とにより形成された薬剤収納部は、先端側環状リブ４１により外部（真空チャンバ内）から隔離されており、減圧状態となっている
ク　「【００４３】
　減圧状態を常圧状態に変更することは、真空チャンバ内の減圧状態を常圧状態に戻すことにより行われる。この圧力変更時に、ガスケット４の先端側環状リブ４１と後端側環状リブ４２および外側面４０と外筒本体部２１間により形成される環状空間１１は溝９を介して外部（真空チャンバ内）と連通しているため空間の内圧はほぼ瞬時に常圧状態となる。さらに、この圧力変更により、
先端側環状リブ４１とシールキャップ３によりシールされ減圧状態のままである薬剤収納部分
ケ　図９より、
「フランジ２３」が開口を画定する
「溝９」が、外筒の後端側から先端側に向かう所定距離だけ延在する長さを画定するとともに前記長さに沿ってその大部分において一定の幅を画定するように設けられている
「
　　　　　　　　　　　」
（２−２）上記（２−１）ア〜ケの記載事項から、引用文献には、次の技術的事項が記載されているものと認められる。
ａ　引用文献に記載された技術は、プレフィルドシリンジに関するものである（【０００１】）。
ｂ　プレフィルドシリンジは、外筒本体部２１と、外筒本体部２１の後端側に設けられ、開口を画定するフランジ２３と、外筒本体部２１の先端側に設けられ、ノズル部先端開口を液密に密封するためのシール部材３４により一端が閉塞しているシールキャップ３が取り付けられたノズル部２２と、を備える外筒２と、外筒２内に摺動可能に収納され周囲に先端側環状リブ４１と後端側環状リブ４２とを備えるガスケット４と、外筒２とシールキャップ３とガスケット４により形成される空間内に収納された薬剤８と、を備えている（【００１１】、【００２２】、図９）。
ｃ　外筒本体部２１は、その内周面の後端部に、外筒本体部２１の軸方向に延びる溝９を備える。そして、溝９は、外筒本体部２１基端開口からノズル部２２側に向かって形成され、外筒の後端側から先端側に向かう所定距離だけ延在する長さを画定するとともに前記長さに沿ってその大部分において一定の幅を画定するように設けられ、かつ、全体に渡って断面が半円形状に形成されており、先端部は先端方向にテーパー状に縮径していることから、溝９は、その長さに沿ってほぼ一定の深さおよび幅を画定するように設けられている、ということができる（【００１５】、【００３７】、図９）。
ｄ　ガスケット４は、先端側環状リブ４１と後端側環状リブ４２により、外筒２の内面に液密に接触している（【００１１】、【００２６】）。
ｅ　シリンジを内部に収納可能かつ内部を減圧可能な真空チャンバにより減圧状態とされた状態で、ガスケット４を外筒２の基端開口から挿入し、ガスケット４の先端側環状リブ４１が溝９より先端側となる位置まで押し込んだとき、ガスケット４と外筒内周面とシールキャップ３とにより形成された薬剤収納部は、先端側環状リブ４１により真空チャンバ内から隔離され、減圧状態となっており、薬剤収納部分は、先端側環状リブ４１とシールキャップ３によりシールされている（【００３７】、【００４０】〜【００４１】、【００４３】）。
（２−３）上記（２−１）、（２−２）を踏まえると、引用文献には次の発明（以下「引用発明」という。）が記載されていると認められる。
「外筒本体部２１と、外筒本体部２１の後端側に設けられ、開口を画定するフランジ２３と、外筒本体部２１の先端側に設けられ、ノズル部先端開口を液密に密封するためのシール部材３４により一端が閉塞しているシールキャップ３が取り付けられたノズル部２２と、を備える外筒２と、外筒２内に摺動可能に収納され周囲に先端側環状リブ４１と後端側環状リブ４２とを備えるガスケット４と、外筒２とシールキャップ３とガスケット４により形成される空間内に収納された薬剤８と、を備え、
　外筒本体部２１は、その内周面の後端部に、外筒本体部２１の軸方向に延びる溝９を備え、溝９は、外筒本体部２１基端開口からノズル部２２側に向かって形成され、外筒の後端側から先端側に向かう所定距離だけ延在する長さを画定するとともに前記長さに沿ってほぼ一定の幅を画定するように設けられており、
　ガスケット４は、先端側環状リブ４１と後端側環状リブ４２により、外筒２の内面に液密に接触し、
　シリンジを内部に収納可能かつ内部を減圧可能な真空チャンバにより減圧状態とされた状態で、ガスケット４を外筒２の基端開口から挿入し、ガスケット４の先端側環状リブ４１が溝９より先端側となる位置まで押し込んだとき、ガスケット４と外筒内周面とシールキャップ３とにより形成された薬剤収納部は、先端側環状リブ４１により真空チャンバ内から隔離され、減圧状態となっており、薬剤収納部分は、先端側環状リブ４１とシールキャップ３によりシールされている
プレフィルドシリンジ。」
（３）対比・判断
　本件補正発明と引用発明を対比する。
　引用発明の「プレフィルドシリンジ」は、その機能からみて、本件補正発明の「封止済医療用投与バレル」に相当するといえる。
　また、引用発明の「外筒２」は本件補正発明の「医療用投与バレル」に、以下同様に、「外筒本体部２１」の「内周面」は「内壁」に、「溝９」は「少なくとも１つの溝」に、「薬剤８」は「物質」に、「周囲に先端側環状リブ４１と後端側環状リブ４２とを備えるガスケット４」は「ピストン」に、それぞれ相当する。
　引用発明の「外筒本体部２１の先端側に設けられ、ノズル部先端開口を液密に密封するためのシール部材３４により一端が閉塞しているシールキャップ３が取り付けられたノズル部２２」は、その構造からみて、本件補正発明の「医療用投与バレル」の「閉口遠位端」に相当する。
　引用発明の「外筒本体部２１の後端側に設けられ、開口を画定するフランジ２３」は、本件補正発明の「医療用投与バレル」の「開口近位端」に相当する。
　引用発明の「外筒２とシールキャップ３とガスケット４により形成される空間内に収納された薬剤８」は、本件補正発明の「医療用投与バレルの内部に充填され、所定の体積を有する物質」に相当する。
　引用発明の「外筒２内に摺動可能に収納され周囲に先端側環状リブ４１と後端側環状リブ４２とを備え」、これら「先端側環状リブ４１と後端側環状リブ４２により、外筒２の内面に液密に接触」する「ガスケット４」は、本件補正発明の「医療用投与バレルの前記内壁に封止係合したピストン」に相当する。
　引用発明の「外筒本体部２１は、その内周面の後端部に、外筒本体部２１の軸方向に延びる溝９を備え、溝９は、外筒本体部２１基端開口からノズル部２２側に向かって形成され、」さらに、「外筒の後端側から先端側に向かう所定距離だけ延在する長さを画定する」点は、本件補正発明の「医療用投与バレル」が「開口近位端から前記閉口遠位端に向かう所定距離だけ延在する長さを画定する」「ように内壁に設けられた少なくとも１つの溝」「を有する」点に相当する。
　そして、溝の深さおよび幅について、本件補正発明では、「少なくとも１つの溝」は、その「長さに沿って一定の深さおよび幅を画定するように」「設けられている」のに対し、引用発明では、「溝９」は、その「長さに沿ってほぼ一定の深さおよび幅を画定するように」「設けられ」ている。
　引用発明の「プレフィルドシリンジ」は、「内部に収納可能かつ内部を減圧可能な真空チャンバにより減圧状態とされた状態で、ガスケット４を外筒２の基端開口から挿入し、ガスケット４の先端側環状リブ４１が溝９より先端側となる位置まで押し込んだとき、ガスケット４と外筒内周面とシールキャップ３とにより形成された薬剤収納部は、先端側環状リブ４１により真空チャンバ内から隔離され、減圧状態となって」いるものであり、このように「薬剤収納部」が「減圧状態」となるのは、「ガスケット４を外筒２の基端開口から挿入し」た後、「ガスケット４の先端側環状リブ４１が溝９より先端側とな」るまでの間に、ガスケット４の先端側環状リブ４１は溝９上に位置している状態にあり、先端側環状リブ４１が外筒２の内周面とその全周にわたって密着してはおらず、薬剤収納部と真空チャンバ内とが、溝９を介して流体連通している状態であったことによるものといえる。そして、このように溝９を介して流体連通している状態は、溝９が、流体がガスケット４をバイパスすることを可能にしている状態であるといえる。また、上記のガスケット４の先端側環状リブ４１が溝９上に位置している状態は、当該先端側環状リブ４１を有するガスケット４についてみると、ガスケット４が溝９に沿って位置している状態であるといえる。
　そうすると、このように、引用発明の溝９が、流体がガスケット４をバイパスすることを可能にしており、このとき、ガスケット４が溝９に沿って位置している状態となっている点は、本件補正発明の「少なくとも１つの溝は、前記ピストンが前記少なくとも１つの溝に沿って位置しているときに、流体が前記ピストンをバイパスすることを可能にし」ている点に相当するといえる。
　また、引用発明において「ガスケット４の先端側環状リブ４１が溝９より先端側となる位置まで押し込んだとき、」「薬剤収納部は、」「先端側環状リブ４１とシールキャップ３によりシールされている」点は、本件補正発明において「ピストンの少なくとも一部は、前記少なくとも１つの溝よりも遠位側に位置し、これにより前記医療用投与バレルの内部の前記物質を封止している」点に相当する。
　そうすると、両者は、
「開口近位端と、閉口遠位端と、前記開口近位端から前記閉口遠位端に向かう所定距離だけ延在する長さを画定するように内壁に設けられた少なくとも１つの溝と、を有する医療用投与バレルと、
　前記医療用投与バレルの内部に充填され、所定の体積を有する物質と、
　前記医療用投与バレルの前記内壁に封止係合したピストンと
　を備え、
　前記少なくとも１つの溝は、前記ピストンが前記少なくとも１つの溝に沿って位置しているときに、流体が前記ピストンをバイパスすることを可能にし、
　前記ピストンの少なくとも一部は、前記少なくとも１つの溝よりも遠位側に位置し、これにより前記医療用投与バレルの内部の前記物質を封止している
　封止済医療用投与バレル。」
である点で一致し、次の点で相違する。
相違点：
　溝の深さおよび幅について、本願発明では、「少なくとも１つの溝」は、その「長さに沿って一定の深さおよび幅を画定するように」「設けられている」のに対し、引用発明では、「溝９」は、その「長さに沿ってほぼ一定の深さおよび幅を画定するように」「設けられ」ている点。
　上記相違点について検討する。
　上述のとおり、引用発明の溝９は、その先端部で先端方向にテーパー状に縮径している形状であるから、その長さに沿って、ほぼ一定の深さおよび幅を画定するように設けられているといえるものである。
　そして、引用発明において、その溝９の深さおよび幅を、その長さに沿って、「ほぼ一定」というレベルを超えてより精密に「一定」の深さおよび幅となるように構成することは、溝により実現されるバイパスの効率など、求められる性能等に応じて、当業者であれば容易になし得ることにすぎない。
　なお、請求人は、審判請求書において、「引用文献１の・・・保持リップ（２５）は少なくとも１つの溝（９）の深さを不均一にするものである。従って、引用文献１の溝（９）を、深さが一定になるように修正することは、保持リップ（２５）の除去を必要とし、引用文献１に示された技術的思想から逸脱してしまう。」と主張する。請求人の主張する「保持リップ（２５）」は、その余の主張と併せてみて、ガスケット摺動抑制部２５を意味すると考えられるので、それを前提として、以下、記載する。
　引用文献の【００１７】には、「また、外筒本体部２１は、内周面の後端部にガスケット４の摺動を抑制するガスケット摺動抑制部２５を備えていてもよい。」と記載され、【００４０】には、「外筒２がガスケット摺動規制部２５を備える場合には、・・・」と記載されているように、引用文献に開示された発明において、ガスケット摺動抑制部２５は、必須の構成ではなく、任意の構成である。そうすると、引用文献には、ガスケット摺動抑制部２５を有しないプレフィルドシリンジも開示されており、そのようなガスケット摺動抑制部２５を有しないプレフィルドシリンジにおける溝９は、その長さに沿ってほぼ一定の深さを画定するといえるものである。
　よって、請求人の上記主張は、採用することができない。
　してみると、本件補正発明は、引用発明に基いて当業者が容易に想到し得たものというべきである。
　そして、溝をその長さに沿って一定の深さおよび幅を画定するように設けることにより奏される効果は、引用発明から当業者が予測し得る範囲内のものにすぎず、格別顕著なものということはできない。
　よって、本件補正発明は、引用発明に基いて、当業者が容易に発明をすることができたものであるから、特許法第２９条第２項の規定により、特許出願の際独立して特許を受けることができない。
３　むすび
　本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の結論のとおり決定する。
第３　本願発明について
１　本願発明
　本件補正は、前記第２のとおり却下されたので、本願の各請求項に記載の発明は、令和元年５月１０日提出の手続補正書により補正された特許請求の範囲の請求項１〜１８に記載された事項により特定されるとおりのものであるところ、その請求項１０に記載の発明（以下「本願発明」という。）は、前記第２の［理由］１の（２）に記載された事項により特定されるとおりのものである。
２　原査定の拒絶の理由
　原査定の拒絶の理由は、本願発明は、引用文献に記載された発明であるから、特許法第２９条第１項第３号に該当し、特許を受けることができない、という理由を含むものである。
３　引用文献
　原査定の拒絶の理由で引用された引用文献の記載事項は、前記第２の［理由］２の（２）に記載したとおりである。
４　対比・判断
　本願発明は、前記第２の［理由］２で検討した本件補正発明における「少なくとも１つの溝」について、「長さに沿って一定の深さおよび幅を画定するように内壁に設けられた」との特定に代えて、「長さに沿ってほぼ一定の深さおよび幅を画定するように内壁に設けられた」と特定したものに相当する。そして、本願発明と本件補正発明との間の上記の相違する点は、本件補正発明と引用発明との相違点に相当する。
　そうすると、本件補正発明から上記相違点を除いたものに相当する本願発明は、引用発明である。
第４　むすび
　以上のとおり、本願発明は引用発明であって、特許法第２９条第１項第３号に該当し、特許を受けることができないから、他の請求項に係る発明について検討するまでもなく、本願は拒絶されるべきものである。
　よって、結論のとおり審決する。